(57)【要約】【課題】  法面に凹凸がある場合であっても、現場での木材の加工を最小限にとどめこの現場における作業を容易なものとすることができる木材連結器および木製法枠工ユニットを提供すること。【解決手段】  法枠工用の木材連結器は、十文字形状の底板２０と、この底板２０の裏面から当該底板２０に対して垂直方向に突出するアンカー３０と、底板２０の各先端部分２１からこの底板２０に対してそれぞれ垂直方向に突出し、各々木材１０の端部を固定する４つの木材固定手段４０とを備えている。各木材固定手段４０は、木材１０を支持する支持部４１と、支持部４１に支持された木材１０を固定する固定部４２とを有している。固定部４２は、木材１０と底板２０との間の距離が所望の大きさとなる位置で木材１０を固定する。【選択図】  図１
2006177057.tif 000002
【特許請求の範囲】
【請求項１】
十文字形状の底板と、
この底板の裏面から当該底板に対して垂直方向に突出するアンカーと、
前記十文字形状の底板の各先端部分からこの底板に対してそれぞれ垂直方向に突出し、各々木材の端部を固定する４つの木材固定手段と、を備え、
前記各木材固定手段は、木材を支持する支持部と、支持部に支持された木材を固定する固定部とを有し、固定部は、木材と底板との間の距離が所望の大きさとなる位置で木材を固定することを特徴とする法枠工用の木材連結器。
【請求項２】
前記各木材固定手段の支持部は、底板の表面の各先端部分から突出する棒状のボルトからなり、固定部は、この棒状のボルトに嵌め込み可能な一対のナットからなり、
前記木材固定手段において、貫通溝または貫通穴を有する木材に棒状のボルトを挿通し、一対のナットによりボルトに挿通された木材の上端および下端を挟持することによりこの木材の端部を固定することを特徴とする請求項１記載の法枠工用の木材連結器。
【請求項３】
格子状に配置された複数の木材と、
十文字形状の底板、この底板の裏面から当該底板に対して垂直方向に突出するアンカー、および、前記十文字形状の底板の表面の各先端部分からこの底板に対してそれぞれ垂直方向に突出し木材と底板との間の距離が所望の大きさとなる位置で木材の端部を各々固定する４つの木材固定手段を有する複数の木材連結器と、
を備えたことを特徴とする木製法枠工ユニット。
【請求項４】
前記各木材連結器の各木材固定手段の支持部は、底板の表面の各先端部分から突出する棒状のボルトからなり、固定部は、この棒状のボルトに嵌め込み可能な一対のナットからなり、
前記木材固定手段において、貫通溝または貫通穴を有する木材に棒状のボルトを挿通し、一対のナットによりボルトに挿通された木材の上端および下端を挟持することによりこの木材の端部を固定することを特徴とする請求項３記載の木製法枠工ユニット。
【発明の詳細な説明】
【技術分野】
【０００１】
本発明は、格子状に配置された複数の木材を連結する法枠工用の木材連結器およびこの木材連結器を用いた木製法枠工ユニットに関する。
【背景技術】
【０００２】
地山などの傾斜地盤や土地造成地、道路等の法面を安定させて緑化させるために、図７に示すような木製法枠工ユニットが用いられている。
法枠工とは、盛土や切土法面の表土流出を防ぎ、早期に植生導入を図るような工法のことをいう。ここで、法枠工ユニットに間伐材等の木材を用いることにより、森林等の管理によって発生する不要な間伐材の有効利用を図ることができ、また、この木材は腐食すると土壌に還元されるので自然環境に対して良好なものとなっている。
【０００３】
図７に示すように、木製法枠工ユニットは、格子状に配置された複数の木材１０と、これらの木材１０の格子状形状の交点部分に配置され、各木材１０を連結する木材連結器とを備えている。
このような木材連結器としては、様々のタイプのものが知られている（例えば、特許文献１乃至８参照）。以下に、従来の木材連結器について図８乃至１５を用いて詳述する。
【０００４】
特許文献１には、図８に示すように、各々中央部分で直交する２枚の板状の接続片５１ａ，５１ａからなる法枠工用の木材連結器５１が開示されている。この木材連結器５１の各接続片５１ａ，５１ａには、その両端部付近に挿通孔５１ｂ，５１ｂが各々設けられている。
このような木材連結器５１を用いた法枠工法において、まず木材１０の両端部に切欠溝を設けるとともに、この切欠溝に直交する位置に貫通孔を設ける。そして、木材連結器５１の接続片５１ａの端部を木材１０の切欠溝に挿入し、止め栓５１ｃを木材１０の貫通孔および接続片５１ａに設けられた挿通孔５１ｂに挿通することにより、各木材１０を木材連結器５１の各接続片５１ａに係合させることができ、木材１０同士を連結して格子状の法枠工ユニットを形成することができる。
【０００５】
また、特許文献２には、図９に示すように、十文字形状等の筒体からなる木材連結器５２が開示されている。この十文字形状の木材連結器５２は、各先端部分に木材１０を挿入することができる開口部５２ａ，５２ａ，５２ａ，５２ａを有している。
このような木材連結器５２を用いた法枠工法において、木材１０の端部を木材連結器５２の開口部５２ａに挿入することにより、各木材１０を木材連結器５２の各先端部分に係合させることができ、木材１０同士を連結して格子状の法枠工ユニットを形成することができる。
【０００６】
また、特許文献３には、図１０に示すように、角柱状パイプ５３ａと、角柱状パイプ５３ａの各側面に設けられた一対の挟持板５３ｂとを有する木材連結器５３が開示されている。この木材連結器５３の各挟持板５３ｂ，５３ｂには、角柱状の木材１０が角柱状パイプ５３ａの各側面に係合するよう各木材１０を受ける４つの受容部５３ｃがそれぞれ設けられている。
このような木材連結器５３を用いた法枠工法において、角柱状の木材１０の端部を木材連結器５３の各挟持板５３ｂの受容部５３ｃに挿入することにより、各木材１０を木材連結器５３の各側面に係合させることができ、木材１０同士を連結して格子状の法枠工ユニットを形成することができる。
【０００７】
また、特許文献４には、図１１（ａ）（ｂ）（ｃ）に示すように、地面に固定されたアンカー５４ａおよびこのアンカー５４ａに挿通可能なリング５４ｂとからなる木材連結器５４が開示されている。
このような木材連結器５４を用いた法枠工法において、木材１０の内部には線状の鉄筋５４ｃが挿通されており、４つの木材１０の各鉄筋５４ｃの端部が１つのリング５４ｂに結合されている。鉄筋５４ｃを介して４つの木材１０に係合しているリング５４ｂをアンカー５４ａに挿通させることにより、各木材１０をアンカー５４ａに固定することができ、木材１０同士を連結して格子状の法枠工ユニットを形成することができる。
【０００８】
また、特許文献５には、図１２（ａ）（ｂ）に示すように、２つのＬ字形状の連結固定金具５５ａ，５５ａを有する木材連結器５５が開示されている。この木材連結器５５の各連結固定金具５５ａの両先端部には、角柱状の木材１０を受ける受容部５５ｂ，５５ｂがそれぞれ設けられている。
このような木材連結器５５を用いた法枠工法において、角柱状の木材１０の端部を木材連結器５５の各連結固定金具５５ａの受容部５５ｂに挿入することにより、各木材１０を木材連結器５５の各連結固定金具５５ａに係合させることができ、木材１０同士を連結して格子状の法枠工ユニットを形成することができる。
【０００９】
また、特許文献６には、図１３（ａ）（ｂ）に示すように、十文字形状の筒体からなる木材連結器５６が開示されている。この十文字形状の木材連結器５６の各先端部分には、角柱状の木材１０を挿入することができる開口部５６ａ，５６ａ，５６ａ，５６ａが設けられている。
このような木材連結器５６を用いた法枠工法において、角柱状の木材１０の端部を木材連結器５６の開口部５６ａに挿入することにより、各木材１０を木材連結器５６に係合させることができ、木材１０同士を連結して格子状の法枠工ユニットを形成することができる。
【００１０】
また、特許文献７には、図１４に示すように、十文字形状の底板５７ａと、この十文字形状の底板５７ａの各先端部分に設けられたリング状の拘束部材５７ｂ，５７ｂ，５７ｂ，５７ｂとを有する木材連結器５７が開示されている。
このような木材連結器５７を用いた法枠工法において、木材１０の端部を木材連結器５７の各拘束部材５７ｂに挿入して拘束することにより、各木材１０を木材連結器５７の各先端部分に係合させることができ、木材１０同士を連結して格子状の法枠工ユニットを形成することができる。
【００１１】
また、特許文献８には、図１５に示すように、４つの半円形状の受容部５８ａ，５８ａ，５８ａ，５８ａが十文字形状となるよう結合した木材連結器５８が開示されている。
このような木材連結器５８を用いた法枠工法において、複数の木材１０の端部を木材連結器５８の各受容部５８ａ上に載置してアンカーピンを打ち込むことにより、あるいは複数の木材１０の端部に各受容部５８ａを被せてアンカーピンを打ち込むことにより、各木材１０を木材連結器５８の各受容部５８ａに係合させることができ、木材１０同士を連結して格子状の法枠工ユニットを形成することができる。
【００１２】
【特許文献１】特開２０００−１１０１６６号公報
【特許文献２】特開２００１−３２９５４１号公報
【特許文献３】特開平１０−２２７０３５号公報
【特許文献４】特開２００２−２５６５６２号公報
【特許文献５】実開平１４２３６号公報
【特許文献６】特開平９−１３３８１号公報
【特許文献７】特開２００３−４１５９４号公報
【特許文献８】特開平１１−９３１７１号公報
【発明の開示】
【発明が解決しようとする課題】
【００１３】
しかしながら、上述の例えば特許文献１乃至８に開示された従来の木材連結器においては、複数の木材は木材連結器の一定箇所に係合するようになっている。このため、木材連結器に係合したこれらの複数の木材の法面に対するそれぞれの高さは同一となり、各木材の法面に対する高さを相対的にずらすことはできない。このため、法面に凹凸がある場合には、木材連結器に対して全ての木材を略平行状態で係合させることができず、この法面の凹凸の度合いに応じて木材を現場で加工しなければならないという問題がある。
【００１４】
本発明は、このような点を考慮してなされたものであって、法面に凹凸がある場合であっても、各木材の法面に対する高さを相対的にずらすことにより木材連結器に対して全ての木材を略平行状態で係合させることができ、現場での木材の加工を最小限にとどめこの現場における作業を容易なものとすることができる木材連結器および木製法枠工ユニットを提供することを目的とする。
【課題を解決するための手段】
【００１５】
本発明は、十文字形状の底板と、この底板の裏面から当該底板に対して垂直方向に突出するアンカーと、十文字形状の底板の各先端部分からこの底板に対してそれぞれ垂直方向に突出し、各々木材の端部を固定する４つの木材固定手段と、を備え、各木材固定手段は、木材を支持する支持部と、支持部に支持された木材を固定する固定部とを有し、固定部は、木材と底板との間の距離が所望の大きさとなる位置で木材を固定することを特徴とする法枠工用の木材連結器である。
このような法枠工用の木材連結器によれば、法面に凹凸がある場合であっても、各木材の法面に対する高さを相対的にずらすことにより木材連結器に対して全ての木材を略平行状態で係合させることができ、現場での木材の加工を最小限にとどめこの現場における作業を容易なものとすることができる。
【００１６】
本発明の法枠工用の木材連結器においては、各木材固定手段の支持部は、底板の表面の各先端部分から突出する棒状のボルトからなり、固定部は、この棒状のボルトに嵌め込み可能な一対のナットからなり、木材固定手段において、貫通溝または貫通穴を有する木材に棒状のボルトを挿通し、一対のナットによりボルトに挿通された木材の上端および下端を挟持することによりこの木材の端部を固定することが好ましい。
このような法枠工用の木材連結器によれば、ボルトに木材を挿通し、この木材の上端および下端を一対のナットで固定しているので、ボルトに対する一対のナットの位置を調整することにより木材と底板との間の距離が所望の大きさとなる位置で木材を確実に固定することができる。
【００１７】
本発明は、格子状に配置された複数の木材と、十文字形状の底板、この底板の裏面から当該底板に対して垂直方向に突出するアンカー、および、十文字形状の底板の表面の各先端部分からこの底板に対してそれぞれ垂直方向に突出し木材と底板との間の距離が所望の大きさとなる位置で木材の端部を各々固定する４つの木材固定手段を有する複数の木材連結器と、を備えたことを特徴とする木製法枠工ユニットである。
このような木製法枠工ユニットによれば、法面に凹凸がある場合であっても、各木材の法面に対する高さを相対的にずらすことにより木材連結器に対して全ての木材を略平行状態で係合させることができ、現場での木材の加工を最小限にとどめこの現場における作業を容易なものとすることができる。
【００１８】
本発明の木製法枠工ユニットにおいては、前記各木材連結器の各木材固定手段の支持部は、底板の表面の各先端部分から突出する棒状のボルトからなり、固定部は、この棒状のボルトに嵌め込み可能な一対のナットからなり、木材固定手段において、貫通溝または貫通穴を有する木材に棒状のボルトを挿通し、一対のナットによりボルトに挿通された木材の上端および下端を挟持することによりこの木材の端部を固定することが好ましい。
このような木製法枠工ユニットによれば、各木材連結器において、ボルトに木材を挿通し、この木材の上端および下端を一対のナットで固定しているので、ボルトに対する一対のナットの位置を調整することにより木材と底板との間の距離が所望の大きさとなる位置で木材を確実に固定することができる。
【発明の効果】
【００１９】
本発明の木材連結器によれば、木材を支持する支持部と、支持部に支持された木材を固定する固定部とを有する木材固定手段を備え、固定部は、木材と底板との間の距離が所望の大きさとなる位置で木材を固定するようになっているので、法面に凹凸がある場合であっても、各木材の法面に対する高さを相対的にずらすことにより木材連結器に対して全ての木材を略平行状態で係合させることができ、現場での木材の加工を最小限にとどめこの現場における作業を容易なものとすることができる。
【００２０】
また、本発明の木製法枠ユニットは、格子状に配置された複数の木材と、各木材を固定するための木材固定手段を有する木材連結器とを備え、木材固定手段において、固定部は、木材と底板との間の距離が所望の大きさとなる位置で木材を固定するようになっているので、法面に凹凸がある場合であっても、各木材の法面に対する高さを相対的にずらすことにより木材連結器に対して全ての木材を略平行状態で係合させることができ、現場での木材の加工を最小限にとどめこの現場における作業を容易なものとすることができる。
【発明を実施するための最良の形態】
【００２１】
以下、図面を参照して本発明の実施の形態について説明する。図１乃至図６は本発明による木材連結器および木製法枠工ユニットの実施の形態を示す図である。
このうち、図１は、本発明の法枠工用の木材連結器の構成を示す斜視図であり、図２は、図１の法枠工用の木材連結器の上面図であり、図３は、図１の法枠工用の木材連結器の前面図である。
また、図４は、木材を固定した際の本発明の法枠工用の木材連結器の上面図であり、図５は、図４の法枠工用の木材連結器のＡ−Ａ矢視図であり、図６は、本発明の木製法枠工ユニットの断面図である。
【００２２】
図１に示す法枠工用の木材連結器は、十文字形状の底板２０と、底板の裏面からこの底板に対して垂直方向に突出するアンカー３０と、底板２０の各先端部分２１，２１，２１，２１からこの底板２０に対してそれぞれ垂直方向に突出し、各々木材１０，１０，１０，１０の端部を固定する４つの木材固定手段４０，４０，４０，４０とを備えている。
【００２３】
図２および図３に示すように、底板２０は十文字形状の金具からなり、この底板２０は、各先端部分２１，２１，２１，２１において貫通孔２２，２２，２２，２２を有している。また、底板２０は、中心部分２３にも貫通孔２４を有している。
【００２４】
アンカー３０は、棒状のボルト３１と、この棒状のボルト３１に嵌め込み可能であり底板２０の中心部分２３の表面に取り付けられたキャップナット３２とを有している。このアンカー３０の棒状のボルト３１を底板２０の裏側から当該底板２０の貫通孔２４に貫通させ、底板２０の表側に突出したボルト３１の突出部にキャップナット３２を嵌め込むことにより、アンカー３０が底板２０の裏側の中心部分に固定されるようになっている。
【００２５】
４つの木材固定手段４０，４０，４０，４０は、各々木材１０，１０，１０，１０を支持する支持部４１，４１，４１，４１と、支持部４１，４１，４１，４１に支持された木材１０，１０，１０，１０を固定する固定部４２，４２，４２，４２とを有している。
各固定部４２は、木材１０と底板２０との間の距離が所望の大きさとなる位置で木材１０を固定するようになっている。
【００２６】
木材固定手段４０について更に詳しく説明する。
木材固定手段４０の支持部４１は棒状のボルト４１ａからなり、固定部４２はこの棒状のボルト４１ａに嵌め込み可能な一対のナット４２ａ，４２ａおよびワッシャー４２ｂ，４２ｂからなっている。
棒状のボルト４１ａは、底板２０の先端部分２１に設けられた貫通孔２２に貫通し、先端部分２１の裏面に取り付けられたナット２１ａに嵌め込まれている。このようにして、棒状のボルト４１ａは底板２０の先端部分２１の表面から突出している。この棒状のボルト４１ａの長さは図１に示すように４本とも全て同じ長さであり例えば３５ｃｍのものとなっているが、４本のうち法面の下流側の１本のボルト４１ａの長さを他の３本の長さに比べて短くしてもよい。
【００２７】
一方、各木材１０は、その両端部に深さ約１０ｃｍの切込みからなる貫通溝１１を有している。図４および図５に示すように、この木材１０の端部にある貫通溝１１に棒状のボルト４１ａを挿通したときに、一対のナット４２ａ，４２ａはワッシャー４２ｂ，４２ｂを介してボルト４１ａに挿通された木材１０の上端および下端を挟持するようになっている。このことにより、木材固定手段４０は木材１０の端部を固定するようになっている。
また、この一対のナット４２ａ，４２ａのボルト４１ａに対する嵌め込み位置を変えることにより、木材１０と底板２０との間の距離を自在に変化させることができるようになっている。
ここで、各木材１０は深さ約１０ｃｍの切込みからなる貫通溝１１を有する代わりに、棒状のボルト４１ａの直径よりも大きな直径の貫通孔を有していてもよい。
【００２８】
次にこのような構成からなる本実施の形態の作用について説明する。
まず、図７に示すように、地山などの傾斜地盤や土地造成地、道路等の法面に複数の例えば間伐材などの木材１０を格子状に配置する。この木材１０の両端部には、図４に示すように予め深さ約１０ｃｍの切込みからなる貫通溝１１が形成されている。
そして、格子状の複数の木材１０の交点部分に木材連結器をそれぞれ配置し、１つの木材連結器に対して４本の木材１０を連結させる。ここで、木材連結器の底板２０の裏面から突出するアンカー３０の棒状のボルト３１を地面に突き刺すことにより、この木材連結器を地面に固定している。
【００２９】
木材連結器に対する各木材１０の連結方法について詳しく説明する。
図４および図５に示すように、各木材１０の端部に形成された貫通溝１１に木材連結器の木材固定手段４０のボルト４１ａを挿通させる。次に、ボルト４１ａに挿通された木材１０の上端および下端をワッシャー４２ｂ，４２ｂを介して一対のナット４２ａ，４２ａで固定する。このときに、ボルト４１ａに対する一対のナット４２ａ，４２ａの取り付け位置を変えることにより、木材１０と底板２０との間の距離が調整される。
また、図５に示すように、木材連結器において、木材１０は一対のナット４２ａ，４２ａの間に挟持されているが、木材１０のうちのいくつかを、一対のナット４２ａ，４２ａにより挟持する代わりに、底板２０の先端部分２１上に直接載置して固定してもよい。
【００３０】
このようにして各々の木材連結器に対して４本の木材１０を連結させることにより、対象となる法面に木製法枠工ユニットが形成される。
【００３１】
以上のように本実施の形態の法枠工用の木材連結器によれば、木材１０を支持する支持部４１と、支持部４１に支持された木材１０を固定する固定部４２とを有する木材固定手段４０を備え、固定部４２は、木材１０と底板２０との間の距離が所望の大きさとなる位置で木材１０を固定するようになっているので、法面に凹凸がある場合であっても、各木材１０の法面に対する高さを相対的にずらすことにより木材連結器に対して全ての木材１０を略平行状態で係合させることができ、現場での木材１０の加工を最小限にとどめこの現場における作業を容易なものとすることができる。
【００３２】
また、各木材固定手段４０の支持部４１は、底板２０の表面の各先端部分２１から突出する棒状のボルト４１ａからなり、固定部４２は、この棒状のボルト４１ａに嵌め込み可能な一対のナット４２ａ，４２ａからなり、木材固定手段４０において、貫通溝１１または貫通穴を有する木材１０に棒状のボルト４１ａを挿通し、一対のナット４２ａ，４２ａによりボルト４１ａに挿通された木材１０の上端および下端を挟持することによりこの木材１０の端部を固定するようになっている。このため、ボルト４１ａに対する一対のナット４２ａ，４２ａの位置を調整することにより木材１０と底板２０との間の距離が所望の大きさとなる位置で木材１０を確実に固定することができる。
【００３３】
また、本実施の形態の木製法枠工ユニットによれば、上述の木材連結器を備えているので、法面に凹凸がある場合であっても、各木材１０の法面に対する高さを相対的にずらすことにより木材連結器に対して全ての木材１０を略平行状態で係合させることができ、現場での木材１０の加工を最小限にとどめこの現場における作業を容易なものとすることができる。
【図面の簡単な説明】
【００３４】
【図１】本発明の法枠工用の木造連結器の構成を示す斜視図である。
【図２】図１の法枠工用の木造連結器の上面図である。
【図３】図１の法枠工用の木造連結器の前面図である。
【図４】木材を固定した際の本発明の法枠工用の木材連結器の上面図である。
【図５】図４の法枠工用の木材連結器のＡ−Ａ矢視図である。
【図６】本発明の木製法枠工ユニットの断面図である。
【図７】木製法枠工ユニットの概略を示す概略斜視図である。
【図８】従来の法枠工用の木材連結器の構成を示す概略図である。
【図９】従来の他の法枠工用の木材連結器の構成を示す概略図である。
【図１０】従来の他の法枠工用の木材連結器の構成を示す概略図である。
【図１１】従来の他の法枠工用の木材連結器の構成を示す概略図である。
【図１２】従来の他の法枠工用の木材連結器の構成を示す概略図である。
【図１３】従来の他の法枠工用の木材連結器の構成を示す概略図である。
【図１４】従来の他の法枠工用の木材連結器の構成を示す概略図である。
【図１５】従来の他の法枠工用の木材連結器の構成を示す概略図である。
【符号の説明】
【００３５】
１０    木材
１１    貫通溝
２０    底板
２１，２１，２１，２１  先端部分
２１ａ  ナット
２２，２２，２２，２２  貫通孔
２３    中心部分
２４    貫通孔
３０    アンカー
３１    ボルト
３２    キャップナット
４０    木材固定手段
４１，４１，４１，４１    支持部
４１ａ  ボルト
４２，４２，４２，４２    固定部
４２ａ，４２ａ  ナット
４２ｂ，４２ｂ  ワッシャー
【図１】
2006177057.tif 000003
【図２】
2006177057.tif 000004
【図３】
2006177057.tif 000005
【図４】
2006177057.tif 000006
【図５】
2006177057.tif 000007
【図６】
2006177057.tif 000008
【図７】
2006177057.tif 000009
【図８】
2006177057.tif 000010
【図９】
2006177057.tif 000011
【図１０】
2006177057.tif 000012
【図１１】
2006177057.tif 000013
【図１２】
2006177057.tif 000014
【図１３】
2006177057.tif 000015
【図１４】
2006177057.tif 000016
【図１５】
2006177057.tif 000017